(57)【要約】【課題】マウントアダプタを撮像装置に装着したときのＡＦセンサバックの誤差による焦点調節の精度低下を防止する。【解決手段】撮像装置２は、制御部１１０と、記憶部１１１を備え、記憶部１１１は、撮像装置２の実際のフランジバックと設計値との誤差を補正するための補正情報を予め記憶する。また、マウントアダプタ１０は、制御部１００と、記憶部１０１を備え、記憶部１０１は、ＡＦ検出部１０５のセンサバックとフランジバックの設計値との誤差を補正するための補正情報を予め記憶する。制御部１００は、ＡＦ検出部１０５が検出した焦点情報から算出されるＡＦ機構部１０６の駆動量を、撮像装置２の補正情報と、マウントアダプタ１０の補正情報とによって駆動量を算出する。【選択図】図２
2012042773.tif 000002
【特許請求の範囲】
【請求項１】
撮像素子を備える撮像装置と交換レンズとの間のフランジバックを調節する長さを有する鏡胴と、
位相差から焦点検出をおこなう焦点検出部と、
前記交換レンズからの入射光を前記撮像素子の入射光と前記焦点検出部の入射光とに分割する光学装置と、
前記交換レンズのマウント面から前記焦点検出部までの距離とフランジバックとの誤差の補正に用いる補正情報を記憶する補正情報記憶部と、
を備えるマウントアダプタ。
【請求項２】
前記撮像装置が記憶する、撮像装置側のフランジバックの誤差の補正に用いる補正情報を前記撮像装置から取得する補正情報取得部と、
前記補正情報記憶部が記憶する補正情報と、前記補正情報取得部が取得した補正情報とから、焦点調節のためのレンズ駆動の補正量を算出する補正量算出部と、
を備える請求項１記載のマウントアダプタ。
【請求項３】
前記補正量を前記撮像装置に出力する補正量出力部を備える請求項２記載のマウントアダプタ。
【請求項４】
アクチュエータの駆動量を前記補正量で補正して算出する駆動量算出部と、
前記アクチュエータの駆動力を前記交換レンズに伝達する駆動力伝達部と、
を備える請求項２記載のマウントアダプタ。
【請求項５】
前記撮像装置の電源投入を検出する電源投入検出部を備え、
前記補正量算出部は、前記撮像装置の電源投入の検出にもとづいて前記補正量を算出する請求項２記載のマウントアダプタ。
【請求項６】
前記撮像装置との接続を検出する接続検出部を備え、
前記補正量算出部は、前記撮像装置との接続の検出にもとづいて前記補正量を算出する請求項２記載のマウントアダプタ。
【請求項７】
温度を検出する温度検出部を備え、
前記補正情報記憶部は、温度に対応した補正情報を記憶する請求項２記載のマウントアダプタ。
【請求項８】
焦点検出の開始操作を受け付ける受付部を備え、
前記補正量算出部は、前記受付部による前記焦点検出の開始操作の受け付けにもとづいて前記補正量を算出する請求項７記載のマウントアダプタ。
【請求項９】
前記撮像装置における焦点検出の開始操作を検出する操作検出部を備え、
前記補正量算出部は、前記操作検出部における焦点検出の開始操作の検出にもとづいて前記補正量を算出する請求項７記載のマウントアダプタ。
【請求項１０】
前記光学装置は、半透過型の薄膜ミラーであって、
前記焦点検出部は、前記鏡胴内の、前記薄膜ミラーの折り返し光路に配置される請求項１記載のマウントアダプタ。
【請求項１１】
前記焦点検出部による焦点検出状態を表示する表示部を備える請求項１記載のマウントアダプタ。
【請求項１２】
撮像装置と交換レンズとの間のフランジバックを調節するとともに、前記交換レンズからの入射光を分割して焦点検出をおこなう焦点検出部を有するマウントアダプタから、前記マウントアダプタが記憶する前記交換レンズのマウント面から前記焦点検出部までの距離とフランジバックとの誤差の補正に用いる補正情報と、前記焦点検出部が検出した焦点情報とを取得する情報取得部と、
前記交換レンズのマウント面から撮像素子までの距離とフランジバックとの誤差の補正に用いる補正情報を記憶する補正情報記憶部と、
前記補正情報記憶部が記憶する補正情報と、前記情報取得部が取得した補正情報と、前記焦点情報とから、焦点調節のためのレンズ駆動量を算出する駆動量算出部と、
を備える撮像装置。
【請求項１３】
前記撮像装置の電源投入を検出する電源投入検出部を備え、
前記駆動量算出部は、前記撮像装置の電源投入の検出にもとづいて前記レンズ駆動量を算出する請求項１２記載の撮像装置。
【請求項１４】
前記マウントアダプタとの接続を検出する接続検出部を備え、
前記駆動量算出部は、前記マウントアダプタとの接続の検出にもとづいて前記レンズ駆動量を算出する請求項１２記載の撮像装置。
【請求項１５】
温度を検出する温度検出部を備え、
前記補正情報記憶部は、温度に対応した補正情報を記憶する請求項１２記載の撮像装置。
【請求項１６】
焦点検出の開始操作を受け付ける受付部を備え、
前記駆動量算出部は、前記受付部による前記焦点検出の開始操作の受け付けにもとづいて前記レンズ駆動量を算出する請求項１５記載の撮像装置。
【請求項１７】
前記マウントアダプタにおける焦点検出の開始操作を検出する操作検出部を備え、
前記駆動量算出部は、前記操作検出部における焦点検出の開始操作の検出にもとづいて前記レンズ駆動量を算出する請求項１５記載の撮像装置。
【発明の詳細な説明】
【技術分野】
【０００１】
本発明は、マウントアダプタ、および撮像装置に関する。
【背景技術】
【０００２】
近年、デジタル一眼レフカメラは、急速な普及をはたしたが、ボディサイズの一層の小型軽量化の要求に応えることができていない。これは、一眼レフデジタルカメラが撮影用光路とファインダ用光路を切り替えるレフレックスミラーや、被写体像をファインダ（ＯＶＦ：Optical View Finder）に案内するペンタプリズムをカメラボディ内に収めるためにやむを得ないとされる。
【０００３】
そこで、ＯＶＦに代えて電子ビューファインダ（ＥＶＦ：Electric View Finder）を備えることで、レフレックスミラーを排除して小型軽量化を図ったミラーレスと呼ばれるデジタル一眼カメラ（ミラーレスデジタル一眼カメラ）が登場している。しかしながら、ミラーレスデジタル一眼カメラは、レフレックスミラーと同時に、焦点検出部に入射光を案内するサブミラーを排除したことで、カメラ本体による位相差検出方式の焦点検出がおこなえなくなった。
【０００４】
また、ミラーレスデジタル一眼カメラは、デジタル一眼レフカメラに比較してフランジバックが短縮されたため、デジタル一眼レフカメラに装着可能だった交換レンズをそのままでは使用できない。そこで、従来の交換レンズ資産を有効に活用するため、ミラーレスデジタル一眼カメラは、マウントアダプタを介することで、デジタル一眼レフカメラ用の交換レンズを装着可能としている。
【０００５】
そして、位相差検出方式に対応した交換レンズを装着可能とするために、このマウントアダプタに位相差検出方式の焦点検出部を備える撮像装置の提案がある（たとえば、特許文献１参照）。
【先行技術文献】
【特許文献】
【０００６】
【特許文献１】国際公開第２００８／０９９６０５号公報
【発明の概要】
【発明が解決しようとする課題】
【０００７】
しかしながら、提案された撮像装置は、カメラボディと交換レンズとの間に中間アクセサリとなるマウントアダプタを装着することで、フランジバックと等価であることが必要なＡＦ（Auto Focus）センサバックの誤差が増大するという欠点があった。ＡＦセンサバックとは、交換レンズのマウント面からＡＦセンサまでの距離であり、このＡＦセンサバックの誤差は、焦点調節の精度を低下させ、記録画像の品質を低下させる要因となっている。
【０００８】
本発明は、このような点に鑑みてなされたものであり、ＡＦセンサバックの誤差による焦点調節の精度低下を防止するマウントアダプタ、および撮像装置の提供を目的とする。
【課題を解決するための手段】
【０００９】
上記課題を解決するために、マウントアダプタは、鏡胴と、焦点検出部と、光学装置と、補正情報記憶部と、を備える。鏡胴は、撮像素子を備える撮像装置と交換レンズとの間のフランジバックを調節する長さを有する。焦点検出部は、位相差から焦点検出をおこなう。光学装置は、交換レンズからの入射光を撮像素子の入射光と焦点検出部の入射光とに分割する。補正情報記憶部は、交換レンズのマウント面から焦点検出部までの距離とフランジバックとの誤差の補正に用いる補正情報を記憶する。
【００１０】
また、上記課題を解決するために、撮像装置は、情報取得部と、補正情報記憶部と、駆動量算出部と、を備える。情報取得部は、撮像装置と交換レンズとの間のフランジバックを調節するとともに、交換レンズからの入射光を分割して焦点検出をおこなう焦点検出部を有するマウントアダプタから、マウントアダプタが記憶する交換レンズのマウント面から焦点検出部までの距離とフランジバックとの誤差の補正に用いる補正情報と、焦点検出部が検出した焦点情報とを取得する。補正情報記憶部は、交換レンズのマウント面から撮像素子までの距離とフランジバックとの誤差の補正に用いる補正情報を記憶する。駆動量算出部は、補正情報記憶部が記憶する補正情報と、情報取得部が取得した補正情報と、焦点情報とから、焦点調節のためのレンズ駆動量を算出する。
【発明の効果】
【００１１】
上記のマウントアダプタ、および撮像装置によれば、ＡＦセンサバックの誤差による焦点調節の精度低下を防止する。
【図面の簡単な説明】
【００１２】
【図１】第１の実施形態の撮像システムの構成例を示す図である。
【図２】第１の実施形態の撮像システムのブロック構成例を示す図である。
【図３】第１の実施形態の撮像装置およびマウントアダプタの調整例を示す図である。
【図４】第１の実施形態のマウントアダプタの補正情報テーブルの一例を示す図である。
【図５】第１の実施形態の撮像装置の補正情報テーブルの一例を示す図である。
【図６】第１の実施形態の補正情報取得処理のフローチャートである。
【図７】第１の実施形態の制御値更新処理のフローチャートである。
【図８】第２の実施形態の撮像システムのブロック構成例を示す図である。
【図９】第２の実施形態の補正情報取得処理のフローチャートである。
【発明を実施するための形態】
【００１３】
以下、本発明の実施の形態を図面を参照して詳細に説明する。
［第１の実施形態］
まず、第１の実施形態の撮像システムの全体構成について図１を用いて説明する。図１は、第１の実施形態の撮像システムの構成例を示す図である。
【００１４】
撮像システム１は、撮像装置（カメラボディ）２と、マウントアダプタ１０と、レンズ（交換レンズ）７を備える。撮像装置２は、デジタル一眼レフカメラよりフランジバックを短縮して小型軽量化を図ったミラーレスデジタル一眼カメラのカメラボディである。レンズ７は、デジタル一眼レフカメラ用の交換レンズであり、フランジバックが異なるので撮像装置２に直接装着することができない。また、レンズ７は、撮像装置２とインタフェースが異なるために装着できない場合もある。
【００１５】
マウントアダプタ１０は、撮像装置２とレンズ７の間に装着される。マウントアダプタ１０は、ミラーレスデジタル一眼カメラとデジタル一眼レフカメラとで異なるフランジバックを調整する。ミラーレスデジタル一眼カメラのフランジバックは、デジタル一眼レフカメラのフランジバックより短いため、マウントアダプタ１０の装着によりレンズ７に対応したフランジバックに調整される。
【００１６】
撮像装置２は、シャッタ３、背面ＬＣＤ（Liquid Crystal Display）４、撮像素子５、マウント６、その他に図示しない制御装置やバッテリ、レリーズボタン等の各種操作部、温度センサ等の各種センサなどを備える。撮像素子５は、シャッタ３を通過した光を検出して、被写体の撮像のほか、背面ＬＣＤ４をＥＶＦとして機能させるための画像出力、コントラスト方式の焦点検出をおこなう。
【００１７】
マウント６は、撮像装置２をミラーレスデジタル一眼カメラに対応したレンズに装着するための接合部である。マウント６は、レンズを保持するための接合部形状を有するほか、焦点検出情報（たとえば、測距情報など）や絞り値の情報など各種情報を、撮像装置２とレンズ間で入出力するための接点を有する。
【００１８】
マウントアダプタ１０は、マウント１１、マウント１２、ＡＦセンサユニット１３、薄膜ミラー（ペリクルミラー）１４、鏡胴１５、その他に図示しない制御装置や、表示部、各種操作部、温度センサなどを備える。なお、マウントアダプタ１０は、撮像装置２側の開口およびレンズ７側の開口に、図示しない光透過性の蓋部（たとえば、保護ガラスやフィルタ等）を設けてもよい。蓋部は、内部への塵や埃の進入防止のほか、ＡＦセンサユニット１３、薄膜ミラー１４を外力による損傷から保護する。
【００１９】
マウント１１は、マウントアダプタ１０を撮像装置２に装着するための接合部である。マウント１１は、撮像装置２に保持されるための接合部形状を有するほか、焦点検出情報や絞り値の情報など各種情報を、撮像装置２とマウントアダプタ１０で入出力するための接点を有する。マウント１２は、デジタル一眼レフカメラに対応したレンズをマウントアダプタ１０に装着するための接合部である。マウント１２は、レンズを保持するための接合部形状を有するほか、焦点検出情報や絞り値の情報など各種情報を、撮像装置２とレンズ間で入出力するための接点を有する。
【００２０】
ＡＦセンサユニット（焦点検出部）１３は、コンデンサレンズ、ＩＲ（InfraRed）カットフィルタ、絞りマスク、セパレータレンズ等の光学部材を含んで構成され、被写体から導かれた光をＡＦセンサに入射させて位相差方式の焦点検出をおこなう。ＡＦセンサユニット１３は、たとえば、測距情報などの焦点調節に用いる焦点検出情報を出力する。なお、ＡＦセンサユニット１３は、デジタル一眼レフカメラのフランジバックに対応するＡＦセンサバックとなる位置に設けられる。
【００２１】
薄膜ミラー１４は、被写体側（レンズ７側）から入射する光Ｌ１を、撮像素子５に入射する光Ｌ２と、ＡＦセンサユニット１３に入射する光Ｌ３とに分割する光学装置である。薄膜ミラー１４は、固定式の半透過型の薄膜ミラーであって、たとえば、入射する光Ｌ１の約７０％を撮像素子５に入射する光Ｌ２に、入射する光Ｌ１の約３０％をＡＦセンサユニット１３に入射する光Ｌ３に分割する。
【００２２】
鏡胴１５は、略円筒状であり、内部にＡＦセンサユニット１３、薄膜ミラー１４を有する。鏡胴１５の鏡胴長は、撮像装置２とレンズ７の間に装着されたときに、レンズ７のマウント面から撮像素子５までの距離をレンズ７に対応したフランジバックとする長さである。鏡胴１５は、鏡胴内の薄膜ミラーの折り返し光路にＡＦセンサユニット１３を配置する。
【００２３】
このように、マウントアダプタ１０は、フランジバックを調整することで、デジタル一眼レフカメラに対応するレンズ７をミラーレスデジタル一眼カメラである撮像装置２に装着することを可能としている。
【００２４】
また、交換レンズがＡＦセンサを有しない場合であっても、マウントアダプタ１０がＡＦセンサユニット１３を有することで、撮像システム１は、位相差方式による焦点検出を可能としている。
【００２５】
なお、交換レンズがＡＦセンサを有せず、マウントアダプタ１０も装着しない場合、撮像装置２は、コントラスト方式による焦点検出をおこなう。したがって、撮像装置２は、撮像装置２と接続するマウントアダプタ１０、あるいは交換レンズに対応して、位相差方式による焦点検出とコントラスト方式による焦点検出とを切り替えて焦点調節をおこなう。
【００２６】
レンズ７は、デジタル一眼レフカメラに対応する交換レンズである、レンズ７は、マウント８を備えるほか、レンズを駆動する駆動機構、絞りを調節する絞り調節機構、機構部を制御するための制御部などを備える。
【００２７】
マウント８は、レンズ７を対応するデジタル一眼レフカメラに装着するための接合部である。マウント８は、デジタル一眼レフカメラに保持されるための接合部形状を有するほか、焦点検出情報や絞り値の情報など各種情報を、レンズ７とデジタル一眼レフカメラで入出力するための接点を有する。また、マウント８は、レンズ７をマウントアダプタ１０に装着するための接合部ともなる。マウント８は、デジタル一眼レフカメラと同様にマウントアダプタ１０とも、焦点検出情報や絞り値の情報など各種情報を入出力可能である。なお、レンズ７とマウントアダプタ１０との情報の入出力は、互いの制御部が直接におこなうようにしてもよいし、撮像装置２の制御部を介しておこなうようにしてもよい。
【００２８】
次に、第１の実施形態の撮像システム１のブロック構成について図２を用いて説明する。図２は、第１の実施形態の撮像システムのブロック構成例を示す図である。
撮像装置２は、制御部１１０と、シャッタ３、背面ＬＣＤ（表示部）４、撮像素子（撮像部）５、記憶部（補正情報記憶部）１１１、温度検出部１１２、操作入力部１１３を備える。制御部１１０は、撮像装置２を統括的に制御するとともに、後述するマウントアダプタ１０の制御部１００との間で各種情報を入出力する。
【００２９】
記憶部１１１は、撮像装置２の実際のフランジバックと設計値との誤差を補正するための補正情報を予め記憶する。記憶部１１１は、電源遮断時にも補正情報を保持するために、たとえば、フラッシュメモリ、ＥＥＰＲＯＭなどの不揮発性の記憶媒体で構成される。補正情報は、具体的には、レンズシフト量などの補正値であるが、誤差にもとづくレンズシフト量を補正する情報であれば、フランジバックとの誤差数値であってもよい。補正情報は、撮像装置２のフランジバックとの誤差が温度変化に関係して変化することから、温度に対応する複数の情報を含む。撮像装置２の温度は、温度検出部（温度センサ）１１２によって検出される。
【００３０】
操作入力部１１３は、レリーズボタン、その他の操作スイッチなどであって、ＡＦ操作、シャッタ３の操作、表示切り替えなど撮像システム１の有する機能の選択、実行操作を受け付ける。背面ＬＣＤ４は、ＥＶＦとして機能するほか、撮像した画像の再生表示、各種操作のユーザインタフェース画面表示をおこなう。たとえば、ユーザインタフェース画面表示は、ＡＦ操作の案内表示をおこなう。
【００３１】
マウントアダプタ１０は、制御部１００と、記憶部（補正情報記憶部）１０１、表示部１０２、温度検出部１０３、操作入力部１０４、ＡＦ検出部（ＡＦセンサユニット）１０５、ＡＦ機構部１０６を備える。制御部１００は、マウントアダプタ１０を統括的に制御するとともに、撮像装置２の制御部１１０との間で各種情報を入出力する。また、制御部１００は、レンズ７の制御部１２０との間で各種情報を入出力する。制御部１００は、制御部１１０と制御部１２０間で各種情報を相互に伝達する場合の中継機能を有する。
【００３２】
記憶部１０１は、ＡＦ検出部１０５のセンサバックとフランジバックの設計値との誤差を補正するための補正情報を予め記憶する。記憶部１０１は、電源遮断時にも補正情報を保持するために、たとえば、フラッシュメモリ、ＥＥＰＲＯＭ（Electrically Erasable Programmable ROM）などの不揮発性の記憶媒体で構成される。補正情報は、具体的には、レンズシフト量などの補正値であるが、誤差にもとづくレンズシフト量を補正する情報であれば、フランジバックとの誤差数値であってもよい。補正情報は、マウントアダプタ１０のセンサバックとの誤差が温度変化に関係して変化することから、温度に対応する複数の情報を含む。マウントアダプタ１０の温度は、温度検出部（温度センサ）１０３によって検出される。
【００３３】
操作入力部１０４は、ＡＦ操作ボタン、その他の操作スイッチなどであって、ＡＦ操作、シャッタ３の操作、表示切り替えなどマウントアダプタ１０の有する機能の選択、実行操作を受け付ける。表示部１０２は、ＡＦ検出部１０５のＡＦ検出状態の報知表示をおこなう。たとえば、表示部１０２は、ＬＥＤ（Light Emitting Diode：発光ダイオード）であって、ＡＦ検出部１０５のＡＦ検出状態を、ジャストピント、前ピン、後ピンとして案内表示する。
【００３４】
ＡＦ機構部１０６は、モータなどのアクチュエータであって、制御部１００によって駆動量が制御される。ＡＦ機構部１０６は、レンズ７のレンズ駆動部１２１と機械的に接続して駆動力を伝達（駆動力伝達部）し、レンズ７のレンズを駆動して焦点調節をおこなう。このとき、制御部１００は、ＡＦ検出部１０５が検出した焦点情報から算出されるＡＦ機構部１０６の駆動量を、撮像装置２の補正情報と、マウントアダプタ１０の補正情報とによって駆動量を算出する。
【００３５】
レンズ７は、制御部１２０と、レンズ駆動部１２１を備える。制御部１２０は、レンズ７を統括的に制御するとともに、マウントアダプタ１０の制御部１００との間で各種情報を入出力する。また、制御部１２０は、レンズ７が図示しない絞り調節機構部、情報表示部などを備える場合に、これらを制御する。また、レンズ７は、レンズ駆動部１２１を駆動する駆動部を備えるようにしてもよく、その場合、制御部１２０は、制御部１００から補正後の駆動量の指示を受けて、駆動部を駆動する。
【００３６】
このようにして、撮像システム１は、撮像装置２をデジタル一眼レフカメラに対応したレンズ７に装着可能とする。そして、撮像システム１は、撮像装置２とマウントアダプタ１０で積み上がるフランジバック誤差の影響を低減した焦点調節を可能とする。
【００３７】
次に、第１の実施形態の撮像システム１の調整例について図３から図５を用いて説明する。図３は、第１の実施形態の撮像装置およびマウントアダプタの調整例を示す図である。図４は、第１の実施形態のマウントアダプタの補正情報テーブルの一例を示す図である。図５は、第１の実施形態の撮像装置の補正情報テーブルの一例を示す図である。
【００３８】
撮像システム１は、上述した通り、撮像素子５を撮像装置２に備え、ＡＦセンサユニット１３をマウントアダプタ１０に備える構成である。そのため、撮像システム１は、寸法精度のばらつきや、加工時のばらつきなどにより、レンズ７のマウント面から撮像素子５までの距離と、レンズ７のマウント面からＡＦセンサユニット１３までの距離の各々でフランジバック（設計値）との誤差を有する。撮像装置２とマウントアダプタ１０は、それぞれ独立した商品として市場に出荷される場合が多いであろうことから、特定の撮像装置２と特定のマウントアダプタ１０の組み合わせで予め調整することもできない。したがって、撮像装置２とマウントアダプタ１０の組み合わせ次第では、撮像システム１は、十分な焦点調節の精度を得ることができない。
【００３９】
そこで、撮像システム１は、撮像装置２とマウントアダプタ１０の各々がフランジバックとの誤差を補正するための補正情報を予め記憶する調整をおこなうことで焦点調節の精度を向上させることができる。
【００４０】
まず、マウントアダプタ１０の誤差を計測する場合、撮像システム１は、マウントアダプタ１０に撮像装置２と、レンズ７を装着して、基準チャート９０で焦点検出をおこなう。このとき、撮像装置２と、レンズ７は、基準品を用いる。焦点距離Ｄ、フランジバックＡ、フランジバックにおける撮像装置側の長さＢは、既知のため、フランジバックにおけるマウントアダプタ側の長さＣを計測する。これは、既知の値（設計値）である（フランジバックＡ）−（フランジバックにおける撮像装置側の長さＢ）と必ずしも一致せず、誤差を有する場合がある。記憶部１０１は、この誤差値、または誤差値を補正する補正量を、調整時の環境条件である温度と対応付けて補正情報として記憶する。たとえば、記憶部１０１は、マウントアダプタ側補正情報テーブル１３０に示すように、摂氏２０℃の環境下であれば、摂氏２０℃と対応付けてｄｍ２０を計測して記憶する。誤差計測は、使用条件範囲の温度である０℃から４０℃についておこなってもよいが、既知の温度変化に対する誤差変化にあてはめて求めてもよい。
【００４１】
フランジバックにおけるマウントアダプタ側の長さＣの計測は、ＡＦセンサユニット１３で基準チャート９０について焦点検出をおこない、焦点調節に必要な調節量が誤差となる。補正情報は、この焦点調節に必要な調節量をレンズのシフト（駆動）から算出する。
【００４２】
そして、撮像装置２の誤差を計測する場合、撮像システム１は、撮像装置２にマウントアダプタ１０と、レンズ７を装着して、基準チャート９０で焦点検出をおこなう。このとき、マウントアダプタ１０と、レンズ７は、基準品を用いる。このとき、焦点距離Ｄ、フランジバックＡ、フランジバックにおけるマウントアダプタ側の長さＣは、既知のため、フランジバックにおける撮像装置側の長さＢを計測する。これは、既知の値（設計値）である（フランジバックＡ）−（フランジバックにおけるマウントアダプタ側の長さＣ）と必ずしも一致せず、誤差を有する場合がある。記憶部１１１は、この誤差値、または誤差値を補正する補正量を、調整時の環境条件である温度と対応付けて記憶する。たとえば、記憶部１１１は、撮像装置側補正情報テーブル１４０に示すように、摂氏２０℃の環境下であれば、摂氏２０℃と対応付けてｄｂ２０を計測して記憶する。誤差計測は、使用条件範囲の温度である０℃から４０℃についておこなってもよいが、既知の温度変化に対する誤差変化にあてはめて求めてもよい。
【００４３】
フランジバックにおける撮像装置側の長さＢの計測は、ＡＦセンサユニット１３で基準チャート９０について焦点検出をおこない、焦点調節に必要な調節量が誤差となる。補正情報は、この焦点調節に必要な調節量をレンズのシフト（駆動）から算出する。
【００４４】
次に、マウントアダプタ１０の制御部１００が実行する補正情報取得処理について図６を用いて説明する。図６は、第１の実施形態の補正情報取得処理のフローチャートである。
【００４５】
［ステップＳ１１］制御部１００は、撮像システム１の電源投入を判定する。撮像システム１の電源投入は、制御部１００への電源供給によって判定する。制御部１００は、電源投入があった場合に、ステップＳ１４にすすみ、電源投入がない（すでに電源投入状態にある）場合に、ステップＳ１２にすすむ。
【００４６】
なお、撮像システム１の電源投入は、撮像装置２の制御部１１０からの電源投入通知を受けて判定するようにしてもよい。これにより、マウントアダプタ１０は、マウントアダプタ１０が撮像装置２に装着された状態での撮像装置２の電源投入のほか、撮像装置２の電源投入状態でのマウントアダプタ１０の装着で、電源投入を検出する。このように、制御部１００は、撮像装置２の電源投入を検出する電源投入検出部、または撮像装置２との接続（装着）を検出する接続検出部として機能する。
【００４７】
［ステップＳ１２］制御部１００は、撮像システム１の撮影準備を判定する。撮像システム１の撮影準備は、撮像装置２の制御部１１０からの撮影準備通知を受けて判定する。撮影準備通知は、たとえば、制御部１１０が撮像装置２の撮影モードの切り替えやレリーズボタンの半押し（ＡＦ操作）を検出した場合に、制御部１１０から制御部１００に通知する信号である。また、撮像システム１の撮影準備は、制御部１００がマウントアダプタ１０の操作入力部１０４からのＡＦ操作入力を受けて判定する。制御部１００は、撮影準備があると判定した場合に、ステップＳ１４にすすみ、撮影準備がないと判定した場合に、ステップＳ１３にすすむ。このように、制御部１００は、マウントアダプタ１０のＡＦ操作（焦点検出の開始操作）を受け付ける受付部、撮像装置２の焦点検出の開始操作を検出する操作検出部として機能する。
【００４８】
［ステップＳ１３］制御部１００は、マウントアダプタ１０の温度変化を判定する。たとえば、前回誤差取得時の温度から所定の閾値を超える温度変化がある場合に、温度変化ありと判定する。制御部１００は、温度変化があると判定した場合に、ステップＳ１４にすすみ、温度変化がないと判定した場合に、補正情報取得処理を終了する。
【００４９】
なお、閾値は、たとえば、焦点深度に応じて可変としてもよく、焦点深度が深い場合には、閾値を大きく、焦点深度が浅い場合には、閾値を小さくすることで補正頻度を適正にすることができる。
【００５０】
［ステップＳ１４］制御部１００は、記憶部１０１が記憶するマウントアダプタ側補正情報テーブル１３０から、マウントアダプタ１０のアダプタ側補正情報を取得する。
【００５１】
［ステップＳ１５］制御部１００は、撮像装置２に要求して撮像装置側補正情報を取得する。このとき、撮像装置２の制御部１１０は、制御部１００からの撮像装置側補正情報の取得要求に応えて、記憶部１１１が記憶する撮像装置側補正情報テーブル１４０から、撮像装置２の撮像装置側補正情報を取得する。このように、制御部１００は、撮像装置２の撮像装置側補正情報を取得する撮像装置側補正情報取得部として機能する。制御部１１０は、制御部１００に取得した撮像装置側補正情報を通知する。このように、制御部１１０は、撮像装置２の撮像装置側補正情報補正情報を出力する撮像装置側補正情報補正情報出力部として機能する。
【００５２】
［ステップＳ１６］制御部１００は、取得したアダプタ側補正情報と撮像装置側補正情報とから合計補正量を算出し、取得時の温度とともに記憶部１０１に記憶して、補正情報取得処理を終了する。このように、制御部１００は、焦点調節のためのレンズ駆動の補正量を算出する補正量算出部として機能する。
【００５３】
次に、マウントアダプタ１０の制御部１００が実行する制御値更新処理について図７を用いて説明する。図７は、第１の実施形態の制御値更新処理のフローチャートである。
【００５４】
［ステップＳ２１］制御部１００は、記憶部１０１から合計補正量を取得する。
【００５５】
［ステップＳ２２］制御部１００は、ＡＦ検出部１０５がおこなった焦点検出にもとづく焦点調節のためのＡＦ機構部１０６の制御値を取得する。なお、ＡＦ機構部１０６の制御値は、制御部１００が算出することができる。このように、制御部１００は、ＡＦ機構部１０６の制御値（駆動量）を算出する駆動量算出部として機能する。
【００５６】
［ステップＳ２３］制御部１００は、制御値を合計補正量にもとづいて補正して制御値を更新して、制御値更新処理を終了する。
【００５７】
このようにして、マウントアダプタ１０は、位相差方式による焦点検出にもとづく焦点調節をおこなうときに、ＡＦセンサバックの誤差による焦点調節の精度低下を防止することができる。
【００５８】
［第２の実施形態］
次に、第２の実施形態の撮像システムについて説明する。第１の実施形態の合計補正量の算出主体がマウントアダプタであるところ、第２の実施形態は、撮像装置となる点で相違する。第２の実施形態の詳細な説明では、撮像システムの全体構成について、断りがない限り第１の実施形態と同じものであるとして説明を省略する。
【００５９】
第２の実施形態の撮像システム５０のブロック構成について図８を用いて説明する。図８は、第２の実施形態の撮像システムのブロック構成例を示す図である。
【００６０】
撮像装置５２は、制御部２１０と、シャッタ３、背面ＬＣＤ（表示部）４、撮像素子（撮像部）５、記憶部（補正情報記憶部）２１１、温度検出部２１２、操作入力部２１３を備える。制御部２１０は、撮像装置５２を統括的に制御するとともに、後述するマウントアダプタ５１の制御部２００との間で各種情報を入出力する。また、制御部２１０は、レンズ５３の制御部２２０との間で各種情報を入出力する。制御部２１０は、制御部２００と制御部２２０間で各種情報を相互に伝達する場合の中継機能を有する。たとえば、制御部２１０は、制御部２００からＡＦ検出部２０５が検出した焦点情報と、記憶部２０１が記憶する補正情報を取得する。このとき、制御部２１０は、制御部２００から情報を取得する情報取得部として機能する。
【００６１】
記憶部２１１は、撮像装置５２の実際のフランジバックと設計値との誤差を補正するための補正情報を予め記憶する。記憶部２１１は、電源遮断時にも補正情報を保持するために、たとえば、フラッシュメモリ、ＥＥＰＲＯＭなどの不揮発性の記憶媒体で構成される。補正情報は、具体的には、レンズシフト量などの補正値であるが、誤差にもとづくレンズシフト量を補正する情報であれば、フランジバックとの誤差数値であってもよい。補正情報は、撮像装置５２のフランジバックとの誤差が温度変化に関係して変化することから、温度に対応する複数の情報を含む。撮像装置５２の温度は、温度検出部（温度センサ）２１２によって検出される。
【００６２】
操作入力部２１３は、レリーズボタン、その他の操作スイッチなどであって、ＡＦ操作、シャッタ３の操作、表示切り替えなど撮像システム１の有する機能の選択、実行操作を受け付ける。背面ＬＣＤ４は、ＥＶＦとして機能するほか、撮像した画像の再生表示、各種操作のユーザインタフェース画面表示をおこなう。たとえば、ユーザインタフェース画面表示は、ＡＦ操作の案内表示をおこなう。
【００６３】
マウントアダプタ５１は、制御部２００と、記憶部（補正情報記憶部）２０１、表示部２０２、温度検出部２０３、操作入力部２０４、ＡＦ検出部（ＡＦセンサユニット）２０５を備える。制御部２００は、マウントアダプタ５１を統括的に制御するとともに、撮像装置５２の制御部２１０との間で各種情報を入出力する。また、マウントアダプタ５１は、制御部２１０と制御部２２０間の情報伝達をおこなう中継部２０６を有する。
【００６４】
記憶部２０１は、ＡＦ検出部２０５のセンサバックとフランジバックの設計値との誤差を補正するための補正情報を予め記憶する。記憶部２０１は、電源遮断時にも補正情報を保持するために、たとえば、フラッシュメモリ、ＥＥＰＲＯＭなどの不揮発性の記憶媒体で構成される。補正情報は、具体的には、レンズシフト量などの補正値であるが、誤差にもとづくレンズシフト量を補正する情報であれば、フランジバックとの誤差数値であってもよい。補正情報は、マウントアダプタ５１のセンサバックとの誤差が温度変化に関係して変化することから、温度に対応する複数の情報を含む。マウントアダプタ５１の温度は、温度検出部（温度センサ）２０３によって検出される。
【００６５】
操作入力部２０４は、ＡＦ操作ボタン、その他の操作スイッチなどであって、ＡＦ操作、シャッタ３の操作、表示切り替えなどマウントアダプタ５１の有する機能の選択、実行操作を受け付ける。表示部２０２は、ＡＦ検出部２０５のＡＦ検出状態の報知表示をおこなう。たとえば、表示部２０２は、ＬＥＤであって、ＡＦ検出部２０５のＡＦ検出状態を、ジャストピント、前ピン、後ピンとして案内表示する。
【００６６】
レンズ５３は、制御部２２０と、ＡＦ機構部２２１、レンズ駆動部２２２を備える。制御部２２０は、レンズ５３を統括的に制御するとともに、撮像装置５２の制御部２１０との間で各種情報を入出力する。また、制御部２２０は、レンズ５３が図示しない絞り調節機構部、情報表示部などを備える場合に、これらを制御する。また、制御部２２０は、制御部２１０から補正後の駆動量の指示を受けて、ＡＦ機構部２２１を駆動する。このとき、制御部２１０は、ＡＦ検出部２０５が検出した焦点情報から算出されるＡＦ機構部２２１の駆動量を、撮像装置５２の補正情報と、マウントアダプタ５１の補正情報とによって駆動量を算出する。この場合、制御部２１０は、ＡＦ機構部２２１の制御値（駆動量）を算出する駆動量算出部として機能する。
【００６７】
ＡＦ機構部２２１は、モータなどのアクチュエータであって、制御部２２０によって駆動量が制御される。ＡＦ機構部２２１は、レンズ駆動部２２２と機械的に接続し、レンズを駆動して焦点調節をおこなう。
【００６８】
このようにして、撮像システム５０は、撮像装置５２をデジタル一眼レフカメラに対応したレンズ５３に装着可能とする。そして、撮像システム５０は、撮像装置５２とマウントアダプタ５１で積み上がるフランジバック誤差の影響を低減した焦点調節を可能とする。
【００６９】
次に、撮像装置５２の制御部２１０が実行する補正情報取得処理について図９を用いて説明する。図９は、第２の実施形態の補正情報取得処理のフローチャートである。
【００７０】
［ステップＳ３１］制御部２１０は、撮像装置５２の電源投入を判定する。撮像装置５２の電源投入は、制御部２１０への電源供給を検出して判定する。このように、制御部２１０は、撮像装置５２の電源投入を検出する電源投入検出部として機能する。制御部２１０は、電源投入があった場合に、ステップＳ３５にすすみ、電源投入がない（すでに電源投入状態にある）場合に、ステップＳ３２にすすむ。
【００７１】
［ステップＳ３２］制御部２１０は、撮像装置５２のアダプタ装着を判定する。制御部２１０は、制御部２００からの装着通知によって撮像装置５２のアダプタ装着を検出する。このように、制御部２１０は、撮像装置５２のアダプタ装着（接続）を検出する接続検出部として機能する。制御部２１０は、アダプタ装着があった場合に、ステップＳ３５にすすみ、アダプタ装着がない（すでに装着状態にある）場合に、ステップＳ３３にすすむ。
【００７２】
［ステップＳ３３］制御部２１０は、撮像システム５０の撮影準備を判定する。撮像システム１の撮影準備は、制御部２１０が検出する撮影準備状態にもとづいて判定する。撮影準備状態は、たとえば、制御部２１０が撮像装置５２の撮影モードの切り替えやレリーズボタンの半押し（ＡＦ操作）を検出した場合がある。また、撮像システム５０の撮影準備は、制御部２１０が制御部２００からの撮影準備通知を受けて判定する。撮影準備通知は、たとえば、制御部２００がマウントアダプタ５１の操作入力部２０４からのＡＦ操作入力を受けて通知する。制御部２１０は、撮影準備があると判定した場合に、ステップＳ３５にすすみ、撮影準備がないと判定した場合に、ステップＳ３４にすすむ。このように、制御部２１０は、撮像装置２のＡＦ操作（焦点検出の開始操作）を受け付ける受付部、マウントアダプタ１０の焦点検出の開始操作を検出する操作検出部として機能する。
【００７３】
［ステップＳ３４］制御部２１０は、撮像装置５２の温度変化を判定する。たとえば、前回誤差取得時の温度から所定の閾値を超える温度変化がある場合に、温度変化ありと判定する。制御部２１０は、温度変化があると判定した場合に、ステップＳ３５にすすみ、温度変化がないと判定した場合に、補正情報取得処理を終了する。
【００７４】
なお、閾値は、たとえば、焦点深度に応じて可変としてもよく、焦点深度が深い場合には、閾値を大きく、焦点深度が浅い場合には、閾値を小さくすることで補正頻度を適正にすることができる。
【００７５】
［ステップＳ３５］制御部２１０は、記憶部２１１が記憶する撮像装置側補正情報テーブル１４０から、撮像装置５２の撮像装置側補正情報を取得する。
【００７６】
［ステップＳ３６］制御部２１０は、マウントアダプタ５１に要求してマウントアダプタ側補正情報を取得する。このとき、マウントアダプタ５１の制御部２００は、制御部２１０からのマウントアダプタ側補正情報の取得要求に応えて、記憶部２０１が記憶するマウントアダプタ側補正情報テーブル１３０から、マウントアダプタ５１のマウントアダプタ側補正情報を取得する。このように、制御部２１０は、マウントアダプタ５１のマウントアダプタ側補正情報を取得するマウントアダプタ側補正情報取得部として機能する。制御部２００は、制御部２１０に取得したマウントアダプタ側補正情報を通知する。このように、制御部２００は、マウントアダプタ５１のマウントアダプタ側補正情報を出力するマウントアダプタ側補正情報出力部として機能する。
【００７７】
［ステップＳ３７］制御部２１０は、取得したマウントアダプタ側補正情報と撮像装置側補正情報とから合計補正量を算出し、取得時の温度とともに記憶部２１１に記憶して、補正情報取得処理を終了する。このように、制御部２１０は、焦点調節のためのレンズ駆動の補正量を算出する補正量算出部として機能する。
【００７８】
このようにして、撮像装置５２は、位相差方式による焦点検出にもとづく焦点調節をおこなうときに、ＡＦセンサバックの誤差による焦点調節の精度低下を防止することができる。
【００７９】
なお、第１の実施形態で説明した制御部１００、１１０、１２０、第２の実施形態で説明した制御部２００、２１０、２２０は、ＣＰＵ（Central Processing Unit）によって制御されている。ＣＰＵには、バスを介してＲＡＭ（Random Access Memory）、ＲＯＭ（Read Only Memory）、通信インタフェース、入出力インタフェースが接続されている。
【００８０】
ＲＡＭには、ＣＰＵに実行させるＯＳ（Operating System）プログラムやアプリケーションプログラムの少なくとも一部が一時的に格納される。また、ＲＡＭには、ＣＰＵによる処理に必要な各種データが格納される。ＲＯＭには、ＯＳプログラムやアプリケーションプログラムが格納される。通信インタフェースは、通信線を介して他の制御部に接続されている。
【００８１】
入出力インタフェースは、各入出力部が接続される。以上のようなハードウェア構成によって、本実施の形態の処理機能を実現することができる。
【００８２】
なお、各制御部は、それぞれＦＰＧＡ（Field Programmable Gate Array）やＤＳＰ（Digital Signal Processer）などからなるモジュールを含んで構成することもでき、ＣＰＵを有しない構成とすることもできる。その場合、各制御部は、それぞれ不揮発性メモリを備え、モジュールのファームウェアを記憶する。不揮発性メモリは、可搬型記録媒体、あるいは通信インタフェースを介してファームウェアを書き込むことができる。このように各制御部は、不揮発性メモリに記憶されているファームウェアを書き換えることにより、ファームウェアの更新をすることもできる。
【００８３】
なお、上述の実施の形態は、実施の形態の要旨を逸脱しない範囲内において種々の変更を加えることができる。
【００８４】
さらに、上述の実施の形態は、多数の変形、変更が当業者にとって可能であり、説明した正確な構成および応用例に限定されるものではない。
【符号の説明】
【００８５】
１、５０……撮像システム、２、５２……撮像装置、３……シャッタ、４……背面ＬＣＤ、５……撮像素子、６、８、１１、１２……マウント、７、５３……レンズ、１０、５１……マウントアダプタ、１３……ＡＦセンサユニット、１４……薄膜ミラー、１５……鏡胴、９０…… 基準チャート、１００、１１０、１２０、２００、２１０、２２０……制御部、１０１、１１１、２０１、２１１……記憶部、１０２、２０２……表示部、１０３、１１２、２０３、２１２……温度検出部、１０４、１１３、２０４、２１３……操作入力部、１０５、２０５……ＡＦ検出部、１０６、２２１……ＡＦ機構部、１２１、２２２……レンズ駆動部、１３０……マウントアダプタ側補正情報テーブル、１４０……撮像装置側補正情報テーブル、２０６……中継部
【図１】
2012042773.tif 000003
【図２】
2012042773.tif 000004
【図３】
2012042773.tif 000005
【図４】
2012042773.tif 000006
【図５】
2012042773.tif 000007
【図６】
2012042773.tif 000008
【図７】
2012042773.tif 000009
【図８】
2012042773.tif 000010
【図９】
2012042773.tif 000011